(57)【特許請求の範囲】
【請求項１】
左右に離間して配置された一対の側部枠を有し、各側部枠の内側にアングル部材が取り付けられ、一方の側部枠のアングル部材と他方の側部枠のアングル部材との間に受け部材が架設され、この受け部材は架台の正面前方側に向って斜め上方に傾斜し、受け部材の奥行き側の上面には支持部材がその上面と直角に取り付けられ、これら受け部材および支持部材により電池収納部が構成され、この電池収納部内に蓄電池が傾斜して収納され、この蓄電池の正立状態に対する傾斜角αが２６．６°以内となるように、前記受け部材が垂直に対して傾斜して設けられ、かつ蓄電池の重心の位置が前記受け部材の上端縁の位置より下方の位置となるように蓄電池が前記蓄電池収納部内に収納されていることを特徴とする蓄電池用架台。
【発明の詳細な説明】
【０００１】
【発明の属する技術分野】
この発明は、組電池として使用する例えば産業用陰極吸収式鉛蓄電池等の複数の蓄電池を縦横に配列して載置する蓄電池用架台に関する。
【０００２】
【従来の技術】
この種の架台としては、蓄電池を正立状態に載置する縦置き形式のものと、蓄電池を横倒し状態に載置する横置き形式ものと、蓄電池を正立状態に対して大きく傾く傾斜状態に載置する傾斜置き形式のものとがある。
【０００３】
蓄電池を正立状態に載置する縦置き形式の架台においては、載置した蓄電池の端子部上方に保守点検用の空間を確保する必要があるほか、さらに架台側部に工事点検作業者用の作業者エリアを確保しなければならないため、架台の設置の際のスペース効率が悪くなる難点がある。
【０００４】
これに対し、横置きないしは傾け角度の大きな傾斜置き形式の架台においては、架台に載置された蓄電池の端子部が架台の正面側に向くため、その蓄電池の保守点検用空間と工事点検作業者用エリアとが架台の正面側となる。
【０００５】
【発明が解決しようとする課題】
蓄電池用架台を設置する場合、工事点検作業者用エリアは法令により架台の前方側に６００mm以上の幅で確保することが定められているが、一般に蓄電池用架台は狭い空間部に設置されるため、その規定の下限の６００mmに設定される場合が多く、このため従来の横置きないしは傾け角度の大きな傾斜置き形式の架台においては蓄電池の保守点検用空間と工事点検作業者用エリアとが重なり、また保守点検の対象部位である蓄電池の端子部が工事点検作業者用エリアに配置する作業者に対してほぼ正面を向く状態となるため、蓄電池に対する保守点検の作業がしずらくなっているのが現状である。
【０００６】
また一方、横置きや傾斜角度の大きな傾斜置きの形式の場合には、地震等により水平方向の力が加わったときに蓄電池が架台の前方側に飛び出したり落下する危険があり、このため蓄電池の端子取付面を押え金具で押えてその飛び出しや落下を防止するようにしている。
【０００７】
しかしながら、蓄電池の端子取付面には、端子のほかに安全弁等の機能部品が配置しており、したがって平坦な面の領域が狭くその機能部品と干渉せずに充分な強度を保って蓄電池を押えることは困難で、特に押え金具が蓄電池の端子に接触するとショートし、施工上の危険を招く恐れがある。
【０００８】
この発明はこのような点に着目してなされたもので、その目的とするところは、蓄電池に対する保守点検の作業を容易に能率よく行なうことができるとともに、押え金具を用いることなく地震等に伴う蓄電池の飛び出しや落下を確実に防止することができる蓄電池用架台を提供することにある。
【０００９】
【課題を解決するための手段】
この発明はこのような目的を達成するために、左右に離間して配置された一対の側部枠を有し、各側部枠の内側にアングル部材が取り付けられ、一方の側部枠のアングル部材と他方の側部枠のアングル部材との間に受け部材が架設され、この受け部材は架台の正面前方側に向って斜め上方に傾斜し、受け部材の奥行き側の上面には支持部材がその上面と直角に取り付けられ、これら受け部材および支持部材により電池収納部が構成され、この電池収納部内に蓄電池が傾斜して収納され、この蓄電池の正立状態に対する傾斜角αが２６．６°以内となるように、前記受け部材が垂直に対して傾斜して設けられ、かつ蓄電池の重心の位置が前記受け部材の上端縁の位置より下方の位置となるように蓄電池が前記蓄電池収納部内に収納されていることを特徴としているものである。
【００１０】
【発明の実施の形態】
以下、この発明の一実施形態について図面を参照して説明する。図１には蓄電池用架台の側面図を、図２には同じく正面図をそれぞれ示してある。この架台１は左右に離間して配置した一対の側部枠２，３を有し、各側部枠２，３の内側にそれぞれ複数段にアングル部材４，５が取り付けられている。
【００１１】
そして一方の側部枠２の各段のアングル部材４と他方の側部枠３の各段のアングル部材５との間に平板状の受け部材６が棚状に架設されている。各受け部材６は架台１の正面前方側に向って斜め上方に傾斜し、その傾斜角が垂直に対してαの角度となっている。
【００１２】
各受け部材６の奥行き側の上面には支持部材７がその上面と直角に取り付けられ、これら受け部材６および支持部材７により電池収納部８が構成されている。そして各段の電池収納部８内には、それぞれ複数の蓄電池９が左右に並列して収納されている。各蓄電池９は、端子１０および安全弁１１を有する端子取付面が架台１の正面に配置するようにその架台１の正面から電池収納部８内に収納され、受け部材６および支持部材７により支持されている。なお、各受け部材６および支持部材７の上面にはゴムシート等の弾性部材からなる緩衝材１２が取り付けられている。
【００１３】
図３には、蓄電池９の支持部分の構造を拡大して示してある。図に示すＣＧは蓄電池９の重心の位置であり、この重心ＣＧの位置は受け部材６の上端縁の位置より下方となっている。
【００１４】
ここで、蓄電池９に加わる静的水平加速度をＫH ［Ｇ］、静的垂直加速度をＫV ［Ｇ］、重力加速度Ｇ＝１のときに蓄電池９に作用する力の関係を求めると次の通りとなる。
【００１５】
静的垂直加速度ＫV は上向きに作用し、重力加速度Ｇとは力の向きが逆であるから、その合力は、
１−ＫV
となる。
したがって、この力と静的水平加速度との合力が全要素の合力となり、次式により求められる。
【００１６】
ｔａｎθ＝（１−ＫV ）／ＫH
力の作用する角度θは、
θ＝ｔａｎ-1｛（１−ＫV ）／ＫH ｝
となる。
ここで、耐震構造物に要求される条件としてＫV ＝（１／２）ＫH であるから、要求される水平加速度がＫH ＝１Ｇとすると、ＫV ＝０．５Ｇとなり、
0004116703.tif 000002
となる。
【００１７】
すなわち、蓄電池９における力の作用する角度は、水平に対して下向きに約２６．６°の角度となる。
つまり、このθの角度の方向と直角となるように受け部材６が傾斜していれば、蓄電池９の全要素の合力は蓄電池９を移動させる力とはならず、蓄電池９を受け部材６に押し付ける力として作用するだけとなる。
【００１８】
そしてこの条件を満たす受け部材６の蓄電池の正立状態に対する傾斜角αを求めると、
α＝１８０°−９０°−（９０°−θ）
したがって、α＝θ＝約２６．６°
となり、αがこの角度以内であれば受け部材６の上に配置した蓄電池９は水平方向の力を受けても受け部材６に沿って上方側に移動しないことになる。
【００１９】
したがって、地震発生時における蓄電池９の飛び出しや脱落を押え金具を何ら用いることなく確実に防止することができる。このため、架台１に蓄電池９を搭載して据え付ける施工作業を容易に能率よく行なえ、また押え金具が不要であるから、端子１０のショート等の施工上の危険を招くようなこともない。
【００２０】
一方、図１にＡで示す部分が架台１の前方側における工事点検作業者用エリアで、Ｂで示す部分が各蓄電池９の上面側の保守点検用空間である。ここで、傾斜角αが２６．６°以内であると、工事点検作業者用エリアＡと蓄電池９の保守点検用空間Ｂとが互いに干渉せず、したがって作業者がエリアＡに配置して行なう蓄電池９に対する保守点検の作業を容易に能率よく行なうことができる。つまり、蓄電池９の保守点検部位が作業者とって自然な上向きとなる位置（作業者が自然に下を向いて腕を下ろした位置）となって作業がしやすくなる。
【００２１】
ただ、傾斜角αが０°になると、蓄電池９が正立し縦置き状態となり、各段の蓄電池９の端子部上方に広い保守点検用の空間を確保しなければならなくなるから、蓄電池９を支持する受け部材６は垂直に対して傾斜させる。
【００２２】
すなわち、この発明においては、蓄電池の正立状態に対する傾斜角αが２６．６°以内となるように、受け部材６を垂直に対して傾斜させるようにしている。
【００２３】
【発明の効果】
以上説明したようにこの発明によれば、蓄電池に対する保守点検の作業を容易に能率よく行なうことができるとともに、押え金具を用いることなく地震等に伴う蓄電池の飛び出しや落下を確実に防止することができる。
【図面の簡単な説明】
【図１】この発明の一実施形態に係る蓄電池用架台を示す側面図。
【図２】その蓄電池用架台の正面図。
【図３】その蓄電池用架台の蓄電池支持構造部分を拡大して示す断面図。
【符号の説明】
１…架台
２，３…側部枠
４，５…アングル部材
６…受け部材
７…支持部材
８…電池収納部
９…蓄電池
１０…端子
１１…安全弁
１２…緩衝材
【図１】
0004116703.tif 000003
【図２】
0004116703.tif 000004
【図３】
0004116703.tif 000005